(57)【要約】  第１および第２のシート（１、２）を積層するための装置が提供される。本装置は、−第１軸線（Ｚ）に沿って連続して配置された第１、第２、および第３区画（それぞれ１１、１２、１３）を有するチャンバ（１０）であって、各区画がポート（それぞれ２１、２２、２３）を有するチャンバ（１０）と、−第１軸線（Ｚ）に直角に配置された、第１軸線（Ｚ）に沿って変位可能な第１シート担持体（４０）と、−第１シート担持体（４０）と位置合わせされた平面に第１シート担持体（４０）に向かい合わせに配置された第２シート担持体（５０）であって、前記平面において変位可能および／または回転可能である第２シート担持体（５０）と、−チャンバの壁まで横方向に延在する第１可撓性膜（４２）であって、第１シート担持体（４０）および／または第１可撓性膜（４２）はチャンバ（１０）の第１および第２区画（１１、１２）を互いに分離する、第１可撓性膜（４２）と、−第２シート担持体（５０）からチャンバの壁まで横方向に延在する第２可撓性膜（５２）であって、第２シート担持体（５０）と第２可撓性膜（５２）とはチャンバ（１０）の第２および第３区画（１２、１３）を互いに分離する、第２可撓性膜と、−第２シート担持体（５０）を第１軸線（Ｚ）に直角な方向に移動させることによって、および／または第１軸線（Ｚ）に平行な軸線を中心に第２シート担持体を回転させることによって、第１のシート（１）に対して第２のシート（２）を位置合わせするための位置合わせ設備（６０）と、を備える。【選択図】図１
2013512126.tif 000002
【特許請求の範囲】
【請求項１】
第１および第２のシート（１、２）を積層するための装置であって、
−  第１軸線（Ｚ）に沿って連続して配置された第１、第２、および第３区画（１１、１２、１３）を有するチャンバであって、各区画（１１、１２、１３）がポート（２１、２２、２３）をそれぞれ有する、チャンバと、
−  前記第１軸線（Ｚ）に直角に配置された、前記第１軸線（Ｚ）に沿って変位可能な第１シート担持体（４０）と、
−  第１シート担持体（４０）に位置合わせされた平面に第１シート担持体（４０）に向かい合わせに配置された第２シート担持体（５０）であって、前記平面において変位可能および／または回転可能である第２シート担持体（５０）と、
−  前記チャンバ（１０）の壁（１５）まで横方向に延在する第１可撓性膜（４２）であって、前記第１可撓性膜（４２）、または前記第１シート担持体（４０）と前記第１可撓性膜（４２）、は前記チャンバ（１０）の前記第１および第２区画（１１、１２）を互いに分離する、第１可撓性膜（４２）と、
−  第２シート担持体（５０）から前記チャンバ（１０）の前記壁（１５）まで横方向に延在する第２可撓性膜（５２）であって、第２シート担持体（５０）と第２可撓性膜（５２）とはチャンバ（１０）の前記第２および第３区画（１２、１３）を互いに分離する、第２可撓性膜と、
−  第２シート担持体（５０）を第１軸線（Ｚ）に直角な方向に移動させることによって、および／または第１軸線（Ｚ）に平行な軸線を中心に第２シート担持体（５０）を回転させることによって、前記第１のシート（１）に対して前記第２のシート（２）を位置合わせするための位置合わせ設備（６０）と、
を備え、
−  前記第２区画（１２）内の圧力に対する前記第１区画（１１）内の圧力の比が相対的に低い第１主動作モード（Ｍ１）と、前記第２区画（１２）内の圧力に対する前記第１区画（１１）内の圧力の比および前記第２区画（１２）内の圧力に対する前記第３区画（１３）内の圧力が相対的に高い第２主動作モード（Ｍ２）とを有する装置。
【請求項２】
前記第１可撓性膜は前記第１シート担持体の一部を形成する、請求項１に記載の装置。
【請求項３】
前記第１可撓性膜は前記第１シート担持体と一体である、請求項２に記載の装置。
【請求項４】
前記第１シート担持体は第１剛性部分と前記可撓性膜によって形成された第２可撓性部分とを有し、前記第２可撓性部分は、前記第１剛性部分の前記第２シート担持体に面している側に配置される、請求項２に記載の装置。
【請求項５】
前記第１可撓性膜（４２）は、前記第１シート担持体（４０）を形成する中心部分（４２ｃ）と、前記中心部分（４２ｃ）から前記チャンバ（１０）の前記壁（１５）まで延在する周辺部分（４２ｐ）とを有し、前記周辺部分（４２ｐ）は前記中心部分（４２ｃ）より高い可撓性を有する、請求項３に記載の装置。
【請求項６】
前記第１シート担持体の前記剛性部分は、前記第１軸線に沿って延在する複数の細孔を有する、請求項４に記載の装置。
【請求項７】
前記第２区画（１２）は前記第２主動作モード（Ｍ２）において減圧排気された状態であり、前記装置は前記第１主動作モード（Ｍ１）の後、かつ前記第２主動作モード（Ｍ２）の前に、前記区画（１０、１１、１２）の各々が減圧排気された状態である第１中間動作モード（Ｉ１）を有する、請求項１に記載の装置。
【請求項８】
前記第１主動作モード（Ｍ１）の後、かつ前記第１中間動作モード（Ｉ１）の前に、前記第１および第３区画（１１、１３）が減圧排気されると共に前記第２区画（１２）が前記第１主動作モードの前記圧力を維持する第２中間動作モード（Ｉ２）を有する、請求項７に記載の装置。
【請求項９】
前記位置合わせ設備（６０）は前記第１中間動作モード（Ｉ１）において作動される、請求項７または８に記載の装置。
【請求項１０】
前記シート担持体の少なくとも一方（５０）に配置された、第１および第２の窓（５６、５７）に対応付けられた第１および第２の視覚的検出設備（６１、６２）を備え、前記視覚的検出設備の各々は前記シート担持体に設けられた対応する窓を通って前記第１軸線（Ｚ）に平行な方向に延在する視線を有し、前記窓は前記シート担持体（４０、５０）のもう一方（４０）に配置される、請求項１に記載の装置。
【請求項１１】
第１および第２のシート（１、２）を積層する方法であって、
−  第１軸線（Ｚ）に沿って連続して配置された第１、第２、および第３区画（１１、１２、１３）を有するチャンバ（１０）と、第１および第２シート担持体（４０、５０）と、前記チャンバ（１０）の壁（１５）まで横方向に延在する第１および第２可撓性膜（４２、５２）とを設けるステップであって、前記第１可撓性膜（４２）、または前記第１シート担持体（４０）と前記第１可撓性膜（４２）、は前記チャンバ（１０）の前記第１および第２区画（１１、１２）を互いに分離し、前記第２シート担持体（５０）と前記第２可撓性膜（５２）とは前記チャンバの前記第２および第３区画（１２、１３）を互いに分離し、前記シート担持体（４０、５０）は互いに位置合わせされ、前記第１軸線（Ｚ）に対して直角に配置される、ステップと、
−  前記第１のシート（１）を前記第１シート担持体（４０）の前記第２シート担持体（５０）に面している側に貼り付けるステップと、
−  前記第２のシート（２）を前記第２シート担持体（５０）の前記第１シート担持体（４０）に面している側に貼り付けるステップと、
−  前記第２区画（１２）内の圧力に対する前記第１区画（１１）内の圧力の比を相対的に低い値に維持するステップと、
−  前記第１のシート（１）に対する前記第２のシート（２）の相対位置および／または向きを検出するステップと、
−  前記第２シート担持体（５０）を前記第１の方向（Ｚ）に直角な方向に移動させることによって、および／または前記第１の方向（Ｚ）に平行な軸線を中心に前記第２シート担持体（５０）を回転させることによって、前記第１のシート（１）に対して前記第２のシート（２）を位置合わせするステップと、
−  前記第２区画（１２）内の圧力に対する前記第１区画（１１）内の圧力の比および前記第２区画（１２）内の圧力に対する前記第３区画（１３）内の圧力の比を、前記相対的に低い値に比べ、相対的に高い値に維持するステップと、
を含む方法。
【請求項１２】
前記相対的に低い圧力は０．１バール未満の値を有する、請求項１１に記載の方法。
【請求項１３】
全ての区画（１１、１２、１３）を減圧排気するための追加ステップを含む、請求項１２に記載の方法。
【請求項１４】
前記追加ステップは、前記第１および第３区画（１１、１３）を減圧排気する第１サブステップと、前記第１サブステップに続く、前記第２区画（１２）を減圧排気する（図４Ｃ）第２サブステップとを含む、請求項１３に記載の方法。
【発明の詳細な説明】
【技術分野】
【０００１】
本発明は、第１および第２のシートを積層するための装置に関する。
【０００２】
本発明は、第１および第２のシートを積層するための方法にさらに関する。
【背景技術】
【０００３】
先に供給された部品に他の部品を順次追加することによってさまざまな製品が作製されている。重要な適用分野は、電子部品をシート積層体として製造する方法にある。この説明のために、シートは、その長さおよび幅に対して厚さが薄い人工産物、例えばガラス板またはポリマーシート、である。１枚のシートは、複数の層を備えうる。電子製品は、例えば、ＯＬＥＤ機能を有する第１のシートと、印刷されたフォトダイオードを複数備えた第２のシートと、ドライバ電子回路を備えた第３のシートとを備える。この積層体内の連続する複数のシートは、互いに接触して１つの電子機能を実行する電子機能領域を有する。このような電子部品の製造においては、１つのシート内の電子または光学的特徴あるいは微小流路などの流体工学的特徴がその次のシート内のこれらの特徴と正確に接触して連係するように、連続する複数のシートを相互に正確に位置付けることが重要である。
【０００４】
ＯＰＴＥＫ  ＤＰＬ−２４ユーザーズガイドに差圧式積層装置が記載されている。このユーザーズガイドに記載されている積層装置は、シリコーンゴム製の可撓性隔膜によって分離された上部区域と底部区域とを有する容器を備えている。これらの区域の各々はポートとヒータとをそれぞれ有する。積層対象の各材料は、底部区域に配置された引き出し内プラテンの表面に貼り付けられる。
【０００５】
積層サイクルの第１段階では、大気圧の空気が容器の底部区域に存在し、隔膜を上方に押し上げて積層対象の材料から分離させている。積層サイクルの次の段階では、両区域がそれぞれのポートを介して減圧排気される。この段階では、隔膜は依然として積層対象の各材料から離れている。積層対象の材料間から空気を逃すことができる。
【０００６】
積層サイクルの次の段階では、容器の上部区域のポートに圧力が加えられ、これにより、予熱された隔膜が積層対象の各材料に等方圧力を加え始める。
【０００７】
積層サイクルの最終段階では、上部区域のポートが真空ポンプに接続され、底部区域のポートが大気圧に連通される。これにより、隔膜は積層された両材料を解放するので、積層された両材料と共に引き出しを容器から取り出すことができる。
【発明の概要】
【課題を解決するための手段】
【０００８】
本発明の目的は、第１および第２のシートを積層するための改良された装置および改良された方法を提供することである。
【０００９】
本発明の第１の態様によると、第１および第２のシートを積層するための装置が提供される。本装置は、
−  第１軸線に沿って連続して配置された第１、第２、および第３区画を有するチャンバであって、各区画がポートを有する、チャンバと、
−  第１軸線に直角に配置された、第１軸線に沿って変位可能な第１シート担持体と、
−  第１シート担持体に位置合わせされた平面に第１シート担持体に向かい合わせに配置された第２シート担持体であって、前記平面において変位可能および／または回転可能である第２シート担持体と、
−  チャンバの壁まで横方向に延在する第１可撓性膜であって、第１シート担持体および／または第１可撓性膜はチャンバの第１および第２区画を互いに分離する、第１可撓性膜と、
−  第２シート担持体から前記チャンバの前記壁まで横方向に延在する第２可撓性膜であって、第２シート担持体と第２可撓性膜とはチャンバの第２および第３区画を互いに分離する、第２可撓性膜と、
−  第２シート担持体を第１軸線に直角な方向に移動させることによって、および／または第１軸線に平行な軸線を中心に第２シート担持体を回転させることによって、第１のシートに対して第２のシートを位置合わせするための位置合わせ設備と、
を備え、
−  本装置は、第２区画内の圧力に対する第１区画内の圧力の比が相対的に低い第１主動作モードと、第２区画内の圧力に対する第１区画内の圧力の比および第２区画内の圧力に対する第３区画内の圧力が相対的に高い第２主動作モードとを有する。
【００１０】
本発明の第１の態様による装置において、位置合わせ設備は、第１および第２のシートが位置合わせされ、連続するシートの対応する特徴が互いに連係できるように、第１シート担持体に対して第２シート担持体を移動および／または回転させる。このために、第２シート担持体は追加の自由度を有する必要がある。本発明による装置は、第２可撓性膜によって画成された、第２主動作モードにおいて相対的に高い圧力がもたらさせる追加の第３区画を具備する。これにより、第２シート担持体における変形の発生が回避される。
【００１１】
シート同士は非接触モードで位置合わせされる。これにより、壊れ易い部品が搭載または印刷されたシートの位置合わせが可能になる。さらに、位置合わせの前にシートを接着するための自己粘着性接着剤の塗布が可能になる。接着剤は、シートの接着に有用であるばかりでなく、導電性経路に形成にも使用されうる。この目的のために、例えば異方導電性接着剤を使用しうる。
【００１２】
本装置は、シートの積層にローラを用いる積層装置に比べ、積層中、シートの表面全体にわたって圧力がほぼ同時に加えられるため、各シートに導入される応力が極めて小さいという点で有利である。さらに、ローラによる積層システムとは異なり、シートが積層工程中に変形されない。
【００１３】
シートの表面に直角な方向への移動によってシートが積層されるため、シートも長手方向に移動させるローラによる積層工程とは異なり、得られた位置合わせからのずれが積層工程中に発生しない。
【００１４】
本装置では、剛性および可撓性のどちらの基板の積層でも可能であり、あるいはこれら基板の組み合わせの積層も可能である。
【００１５】
本発明の第１の態様による装置の特定の一実施形態において、第１可撓性膜は第１シート担持体によって形成される。
【００１６】
前記実施形態の一変形例において、第１可撓性膜は第１シート担持体と一体である。換言すると、本装置は、チャンバの横断面全体にわたって延在して第１シート担持体としても第１および第２区画を互いに分離するための可撓性手段としても機能する第１可撓性膜を有する。
【００１７】
その変形例において、第１可撓性膜は、第１シート担持体を形成する中心部分と、中心部分からチャンバの壁まで延在する、中心部分より高い可撓性を有する周辺部分とを有することが好ましい。
【００１８】
前記特定の実施形態の別の変形例において、第１シート担持体は、第１剛性部分と、前記可撓性膜によって形成された、第１剛性部分の第２シート担持体に面する側に配置された第２可撓性部分とを有する。前記別の変形例において、可撓性膜によって形成された第２可撓性部分を第１剛性部分全体に展張させてもよい。
【００１９】
第１シート担持体の剛性部分は、第１軸線に沿って延在する複数の細孔を有しうる。
【００２０】
本発明の第１の態様による装置の一実施形態において、第２区画は第２主動作モードにおいて減圧排気され、本装置は第１主動作モードの後、かつ第２主動作モードの前に、各区画が減圧排気される第１中間動作モードを有する。第１主動作モードから第２主動作モードに直接遷移させると、例えば弾性手段を係合防止手段として設けない限り、第２区画が十分に減圧排気される前に第１および第２シート担持体が係合状態になりうる。第２区画が減圧排気される前に第１および第２シート担持体が係合状態に遷移すると、気泡がシート間に閉じ込められることがある。これは、通常、望ましくない。この実施形態による装置では、積層前に、第１中間動作モードにおいて第１および第２のシートの間から空気を抜くことができる。
【００２１】
第１主動作モードから第１中間動作モードへの直接遷移は可能である。その場合、遷移中に第２区画内の圧力が第１区画内の圧力より下がらないように注意する必要がある。本装置の上記実施形態の一特定バージョンは、第１主動作モードの後、かつ第１中間動作モードの前に、第２中間動作モードを有する。第２中間動作モードでは、第１および第３区画が減圧排気され、第２区画は第１主動作モードの圧力に維持される。この実施形態のこのバージョンでは、第２区画の過度な圧力低下が回避される。
【００２２】
第１中間動作モードを有する前記実施形態の一バージョンでは、第１中間動作モードにおいて位置合わせ設備が作動される。これは、第１中間動作モードにおいて、シート間に閉じ込められた空気を除去するために費やされる時間がシートの位置合わせに効率的に使用されるという利点を有する。
【００２３】
本発明の第１の態様による装置の一実施形態は、第１および第２の窓に対応付けられた第１および第２の視覚的検出設備を備える。第１および第２の窓は第１および第２シート担持体の少なくとも一方に配置される。各視覚的検出設備は、窓が配置されたシート担持体に設けられた対応する窓を通ってもう一方のシート担持体まで第１軸線に平行な方向に延在する視線を有する。これにより、各視覚的検出設備が両シートの位置合わせマークを同時に監視できるので、シート同士の位置合わせを正確に検証できる。あるいは、視覚的検出手段を装置の側壁に配置することもできる。ただし、この場合は、別個の視覚的検出手段が複数必要になり、システムの較正が必要になる。さらに、観察対象の表面に対して視覚的検出手段を斜めに配置する必要があるため、実際上、視覚的検出精度が下がる。
【００２４】
本発明の第２の態様によると、第１および第２のシートを積層するための方法が提供される。本方法は、
−  第１軸線に沿って連続して配置された第１、第２、および第３区画と第１および第２シート担持体とを有するチャンバを設けるステップであって、第１および第２シート担持体はチャンバの壁まで横方向に延在する第１および第２可撓性膜をそれぞれ有し、第１シート担持体と第１可撓性膜とはチャンバの第１および第２区画を互いに分離し、第２シート担持体と第２可撓性膜とはチャンバの第２および第３区画を互いに分離し、両シート担持体は互いに位置合わせされて第１軸線に対して直角に配置される、ステップと、
−  第１のシートを第１シート担持体の第２シート担持体に面している側に貼り付けるステップと、
−  第２のシートを第２シート担持体の第１シート担持体に面している側に貼り付けるステップと、
−  第２区画内の圧力に対する第１区画内の圧力の比を相対的に低い値に維持するステップと、
−  第１のシートに対する第２のシートの相対位置および／または向きを検出するステップと、
−  第２シート担持体を第１の方向に直角な方向に移動させることによって、および／または第１の方向に平行な軸線を中心に第２シート担持体を回転させることによって、第１のシートに対して第２のシートを位置合わせするステップと、
−  第２区画内の圧力に対する第１区画内の圧力の比および第２区画内の圧力に対する第３区画内の圧力の比を、前記相対的に低い値に比べ、相対的に高い値に維持するステップと、
を含む。
【００２５】
第２区画内の圧力に対する第１区画内の圧力の比および第２区画内の圧力に対する第３区画内の圧力の比を、前記相対的に低い値に比べ、相対的に高い値に維持することによって、両シート担持体が互いに押し付けられ、これにより両シートが積層される。シート間の最適な減圧排気は、本方法のこの実行フェーズ中の第２区画内の圧力が０．１バール未満である場合に達成される。
【００２６】
一実施形態においては、全ての区画が減圧排気される。３つの区画全てが減圧排気される段階で、両シート担持体が互いに離れているときに、第２区画の減圧排気モードで気泡が抜かれるため、気泡が積層によって閉じ込められない。
【００２７】
一実施形態においては、全ての区画が第１および第２サブステップで減圧排気される。第１サブステップで第１および第３区画が減圧排気され、第２サブステップで第２区画が減圧排気される。これにより、何れの時点においても第２区画内の圧力が隣接する第１および第３区画の圧力より下がらないため、積層の時期尚早な開始が回避される。
【００２８】
図面を参照して上記および他の側面をより詳細に説明する。
【図面の簡単な説明】
【００２９】
【図１】本発明の第１の態様による装置の一実施形態を示す。
【図２】図１の線ＩＩ−ＩＩに沿った断面を示す。
【図３】開モードにおける図１の装置の図を示す。
【図４Ａ】図１の装置を用いた本発明の第１の態様による方法の第１段階を示す。
【図４Ｂ】図１の装置を用いた本発明の第１の態様による方法の第２段階を示す。
【図４Ｃ】図１の装置を用いた本発明の第１の態様による方法の第３段階を示す。
【図４Ｄ】図１の装置を用いた本発明の第１の態様による方法の第４段階を示す。
【図４Ｅ】図１の装置を用いた本発明の第１の態様による方法の第５段階を示す。
【図４Ｆ】図１の装置を用いた本発明の第１の態様による方法の第６段階を示す。
【図５】図１による装置を制御するための制御装置の連続するモードを示す。
【図６Ａ】本発明の第１の態様による装置の別の実施形態の第１の動作状態を示す。
【図６Ｂ】本発明の第１の態様による装置の上記別の実施形態の第２の動作状態を示す。
【図６Ｃ】本発明の第１の態様による装置の上記別の実施形態の第３の動作状態を示す。
【図７】本発明の第１の態様による装置のさらに別の実施形態を示す。
【発明を実施するための形態】
【００３０】
以下の詳細説明には、本発明の完全な理解をもたらすために特定の詳細が多数述べられている。ただし、本発明はこれらの特定の詳細なしに実施されうることを当業者は理解されるであろう。他の例では、本発明の態様を曖昧にしないように、周知の方法、手順、および部品が詳細に説明されていない。
【００３１】
本発明の複数の実施形態が図示されている添付図面を参照して本発明を以下により詳細に説明する。ただし、この発明は多くの異なる形態で具体化可能であり、本願明細書に記載されている実施形態に限定されると解釈されるべきではない。むしろ、これらの実施形態は、この開示が周到かつ完全であり、本発明の範囲が当業者に十分に伝わるように提供されている。各図面においては、明確にするために、層および領域のサイズおよび相対サイズが誇張されていることもある。
【００３２】
本願明細書で使用されている用語は、特定の実施形態を説明することのみを目的としており、本発明を限定する意図はない。本願明細書で使用されている単数形「ａ」、「ａｎ」、および「ｔｈｅ」は、文脈上明らかな場合を除き、複数形も含むものとする。さらに、「を備える／含む（ｃｏｍｐｒｉｓｅｓ）」および／または「備えた／含んだ（ｃｏｍｐｒｉｓｉｎｇ）」という用語は、本願明細書で使用されている場合、記載されている特徴、整数、ステップ、動作、要素、および／または部品の存在を指定するが、他の１つ以上の特徴、整数、ステップ、動作、要素、部品、および／またはそれらから成る群の存在または追加を妨げるものではない。さらに、特に明示されない限り、「または（ｏｒ）」は包含的な「または」のことであり、排他的な「または」ではない。例えば、ＡまたはＢ（Ａ  ｏｒ  Ｂ）という条件は、Ａが真であり（または存在し）かつＢが偽である（または存在しない）場合、Ａが偽であり（または存在せず）かつＢが真である（または存在する）場合、およびＡおよびＢの両方が真である（または存在する）場合の何れによっても満足される。
【００３３】
ある要素または層が別の要素または層「の上に載っている（ｏｎ）」、「に接続される（ｃｏｎｎｅｃｔｅｄ  ｔｏ）」、または「に結合される（ｃｏｕｐｌｅｄ  ｔｏ）」というときは、その要素または層はその別の要素または層の上に直接載っている、直接接続される、または直接結合されてもよく、あるいは介在する要素または層が存在してもよい。これに対し、ある要素が別の要素または層「の上に直接載っている（ｄｉｒｅｃｔｌｙ  ｏｎ）」、「に直接接続される（ｄｉｒｅｃｔｌｙ  ｃｏｎｎｅｃｔｅｄ  ｔｏ）」、または「に直接結合される（ｄｉｒｅｃｔｌｙ  ｃｏｕｐｌｅｄ  ｔｏ）」というときは、介在する要素または層は存在しない。全体にわたって同様の参照符号は同様の要素を指す。本願明細書で使用される場合、「および／または（ａｎｄ／ｏｒ）」という用語は、列記されている項目のうちの１つまたは複数の項目のあらゆる組み合わせを含む。
【００３４】
第１、第２、第３などの用語は、本願明細書ではさまざまな要素、部品、領域、層、および／または区域を説明するために使用されうるが、これらの要素、部品、領域、層、および／または区域はこれらの用語によって限定されないことを理解されるであろう。これらの用語は、１つの要素、部品、領域、層、または区域を別の領域、層、または区域から区別するためにのみ使用される。したがって、以下に記載されている第１の要素、部品、領域、層、または区域は、本発明の教示から逸脱することなく、第２の要素、部品、領域、層、または区域と呼ぶことも可能である。
【００３５】
「の真下に（ｂｅｎｅａｔｈ）」、「の下方に（ｂｅｌｏｗ）」、「より下の（ｌｏｗｅｒ）」、「の上方に（ａｂｏｖｅ）」、「より上の（ｕｐｐｅｒ）」などの空間的に相対的な用語は、本願明細書においては、各図に示されているような１つの要素または特徴と別の要素（単数または複数）または特徴（単数または複数）との関係を記述する説明を簡単にするために使用されうる。これらの空間的に相対的な用語は、各図に示されている向きに加え、使用中または動作中のデバイスのさまざまな向きをも包含することを意図していることを理解されるであろう。例えば、図中のデバイスが裏返された場合、他の要素または特徴「の下方に（ｂｅｌｏｗ）」または「の真下に（ｂｅｎｅａｔｈ）」にあると記述されていた要素は、その他の要素または特徴「の上方に（ａｂｏｖｅ）」置かれることになるであろう。したがって、例示的用語「の下方に（ｂｅｌｏｗ）」は、「の上方に（ａｂｏｖｅ）」および「の下方に（ｂｅｌｏｗ）」の両方の向きを包含可能である。デバイスは上記以外の向き（９０度回転、または他の向き）にも向けられうるので、本願明細書においては空間的に相対的な記述はそれに応じて解釈されうる。
【００３６】
本願明細書において、本発明の複数の実施形態は、本発明の理想化された実施形態（および中間構造）の概略図である断面図を参照して説明されている。したがって、例えば製造手法および／または公差の結果として、図示の形状からの逸脱が予想されるべきである。したがって、本発明の実施形態は、本願明細書に例示されている領域の特定の形状に限定されると解釈されるべきではなく、例えば製造に起因する、形状のずれを含むものとする。
【００３７】
特に定義されていない限り、本願明細書で使用されている（技術的および科学的用語を含む）あらゆる用語は、本発明が属する技術分野の当業者によって一般に理解される意味と同じ意味を持つ。一般に使用される辞書に定義されているような用語は、本願明細書に明示的に定義されていない限り、関連技術の文脈におけるそれぞれの意味と一致した意味を有すると解釈されるべきであり、理想化された、または過度に形式的な、意味では解釈されないことをさらに理解されるであろう。本願明細書で言及されている全ての出版物、特許出願、特許、および他の参考資料は、参照によりその内容全体が本願明細書に組み込まれるものとする。矛盾が生じた場合は、定義を含め、本願明細書が優先される。また、各材料、各方法、および各例は単に例示のためであり、限定を意図するものではない。
【００３８】
図１は、第１および第２のシート１、２を積層するための装置を模式的に示す。本装置は、第１、第２、および第３区画１１、１２、１３を有するチャンバ１０を備える。チャンバ１０は、図３を参照してさらに説明するように、チャンバ１０を開くためのヒンジ１６を第２区画に有する。区画１１、１２、１３は第１軸線Ｚに沿って連続して配置され、各区画は対応するポート２１、２２、２３を有する。ポート２１、２２、２３は、対応する圧力制御装置３１、３２、３３に結合される。これらの圧力制御装置は、対応する圧力制御信号Ｓｐ１、Ｓｐ２、Ｓｐ３に応じて対応する区画内の圧力を制御する。そのために、各圧力制御装置は、例えば、減圧排気用ポンプと各区画に空気を入れるための弁とを備えうる。あるいは、各圧力制御装置は、例えば区画１１および１３に過圧をもたらすための追加のポンプを備えうる。
【００３９】
本装置は、第１および第２の剛性の平板状シート担持体４０、５０をさらに備える。これらのシート担持体は、ステンレス鋼またはアルミニウムのような金属から構成されてもよく、あるいはポリマーから構成されてもよい。図示の実施形態において、シート担持体４０、５０の各々は、ＸＹ平面が２０×２０ｃｍの大きさを有する。この実施形態は、６インチ（１５．２４ｃｍ）の大きさのシートの積層を可能にする。ただし、異なる大きさ、例えば１０×１０ｃｍまたは１００×１００ｃｍ、のシート担持体を本装置に設けてもよい。第１シート担持体４０は、前記第１軸線Ｚに直角に配置され、案内手段４４によって前記第１軸線Ｚの方向に変位可能である。そのために、第１シート担持体４０は、第１シート担持体４０の移動をＺ方向への移動に限定する案内機構を介して、結合される。第２シート担持体５０は、第１シート担持体４０に位置合わせされた平面に、第１シート担持体４０に向かい合わせに配置される。第２シート担持体５０は、前記平面内で変位可能および／または回転可能である。
【００４０】
本装置は、第１シート担持体４０からチャンバの壁まで横方向に延在する第１可撓性膜４２さらに有する（図１の線ＩＩ−ＩＩに沿った断面である図２も参照されたい）。第１シート担持体４０および第１可撓性膜４２は、チャンバ１０の第１および第２区画１１、１２を互いに分離する。
【００４１】
第１可撓性膜に関して図示されているのと同様に、第２可撓性膜５２が第２シート担持体５０からチャンバ１０の壁１５まで横方向に延在する。第２シート担持体５０および第２可撓性膜５２は、チャンバ１０の第２および第３区画１２、１３を互いに分離する。図示の実施形態において、可撓性膜４２、５２は、加硫ゴムまたはシリコーンゴムなどの弾性材料の幅２ｃｍ、厚さ１ｍｍのリムによって形成される。十分な弾性をもたらし、かつ十分に気密であれば、他の材料および大きさを適用してもよい。
【００４２】
本装置は、第１軸線Ｚに直角なＸ、Ｙ方向に第２シート担持体５０を移動させることによって、および／または第１軸線Ｚに平行な軸線を中心として第２シート担持体５０を回転させることによって、第１のシート１に対して第２のシート２を位置合わせするために、制御装置６５からの信号Ｓｘｙθによって制御される位置合わせ設備６０を有する。制御装置６５は、カメラ６１、６２からそれぞれ得られる画像信号Ｓ１、Ｓ２に基づき、信号Ｓｘｙθを生成する。制御装置６５は、さらに制御信号Ｓｐ１、Ｓｐ２、Ｓｐ３を圧力制御装置３１、３２、３３に供給する。
【００４３】
圧力制御装置は、装置の第１主動作モードにおいて第２区画１２内の圧力に対する第１区画１１内の圧力の比が相対的に低くなるようにし、第２主動作モードにおいて第２区画１２内の圧力に対する第１区画１１内の圧力の比および第２区画１２内の圧力に対する第３区画１３内の圧力の比が相対的に高くなるようにする。
【００４４】
一般的な一実施形態において、本装置は、区画１１、１２、１３の各々が大気圧下にある第１主動作モードと、第１および第３区画１１、１３が大気圧下にあり、第２区画１２が減圧排気されている第２主動作モードとを有する。したがって、前記第１動作モードでは、第２区画１２内の圧力に対する第１区画１１内の圧力の比は約１であり、この場合、第２区画１２内の圧力に対する第３区画１３内の圧力の比も約１であるが、第２動作モードでは、第２区画１２内の圧力に対する第１区画１１内の圧力の比および第２区画１２内の圧力に対する第３区画１３内の圧力の比は相対的に高く、例えば１０台またはこれ以上である。
【００４５】
第１および第２の検出設備を形成するカメラ６１、６２は、第１および第２の窓５６、５７に対応付けられる。これらの窓はどちらも第２シート担持体５０に配置される。視覚的検出設備６１、６２の各々は、シート担持体５０の対応する窓５６、５７を通る、第１軸線Ｚに平行な方向に延在する視線を有し、窓５６、５７はシート担持体４０、５０のもう一方４０に設けられている。
【００４６】
図示の実施形態では、第１シート担持体４０にも第１および第２の窓４６、４７が設けられている。一実施形態においては、位置合わせマークが設けられたシート１および２の位置を照明するために、これらの窓４６、４７の背後に光源が配置されうる。視覚的検出手段がカメラである必要はない。代わりに、視覚的検出手段６１、６２は、対応付けられた窓５６、５７を通過する光量を単に検出してもよい。
【００４７】
シート１、２は半透明である必要はない。シートが不透明である場合は、例えば円形開口部の形態の位置合わせマークを各シートに設けてもよい。視覚的検出設備６１、６２の視線にある第１および第２のシート１、２の位置合わせマークを通過する光量は、位置合わせの度合いを示す。
【００４８】
次に、第２の態様による方法の一実施形態を図３および図４Ａから図４Ｆを参照してより詳細に説明する。より明確にするために、これらの図には、制御装置および圧力制御装置のような一部の詳細が省かれている。
【００４９】
図３は、開モードにおける装置を示す。この場合、チャンバは、ヒンジ１６によって互いに結合された第１および第２の部分１７、１８を備えた筐体を有する。筐体の第１の部分１７は、第１シート担持体４０とその案内手段４４とを備える。筐体の第２の部分１８は、第２シート担持体５０と位置合わせ設備６０とを備える。開モードでは、対応するシートをシート担持体４０、５０に貼り付けるために、シート担持体４０、５０にアクセス可能である。そのために、シートを保持するための、ＰＭＤＳなどの自己粘着性ゴムの層をシート担持体４０、５０の表面に設けてもよい。あるいは、シート担持体は、シートを貼り付けるために複数の細孔を介して表面に連通し、使用中は減圧排気される内部空間を有しうる。
【００５０】
図４Ａは、筐体が閉じられた直後の装置を模式的に示す。装置のこの第１動作モードにおいて、第２区画１２は大気圧下にある。その他の区画１１、１３も大気圧下にあってもよい。
【００５１】
図４Ｂに示されている次のステップで、第１および第３区画１２はポート２１および２３を介してそれぞれ減圧排気される。これにより、第１シート担持体４０は、第２シート担持体５０から遠ざかり、チャンバ１１の頂壁に接する。第２シート担持体５０は、チャンバの底壁によって既に支持されているため、移動しない。
【００５２】
図４Ｃに模式的に示されているように、その後に第２区画１２がポート２２を介して減圧排気される。このステップの後、図４Ｄに模式的に示されているように、各区画１１、１２、および１３が減圧排気される。次に、視覚的検出設備６１、６２に面した位置合わせマークの相対位置が判定される。この判定に基づき、第２シート担持体５０をＺ軸線に直角な方向に移動させることによって、および／またはＺ軸線に平行な軸線を中心に第２シート担持体５０を回転させることによって、第２のシート２を第１のシート１に対して位置合わせする。このモードでは、第１および第２のシート１、２間の距離は、０．５ｍｍから２ｍｍの範囲内、例えば１ｍｍ台、である。この距離であれば両シートが視覚的検出設備６１、６２の被写界深度内にあるように容易に配置可能であり、視覚的検出設備のために極めて高価な設備を必要としない。あるいは、図４Ａに示されているように、各チャンバが大気圧下にあるときに、この位置合わせ工程を実行可能である。図４Ｂに示されている状況で、この位置合わせ工程を実行してもよい。ただし、これは、第２区画１２と第１および第３区画１１、１３との間の圧力差により両シート担持体が僅かに変形しうるため、位置合わせが偏ることもあるのであまり好ましくない。図４Ｂに示されている状況ではシート１、２間がさらに離れるため、シート１、２の位置合わせマークの相対位置の測定精度が下がりうる。
【００５３】
上記の実施形態において、図４Ｄを参照して説明した動作モードは、図４Ｂおよび図４Ｃを参照して説明した複数の遷移モードを介して実現される。あるいは、各区画を同時に減圧排気することによって、装置を図４Ａのモードから図４Ｄのモードに直接遷移させることも考えられる。その場合、第２区画１２内の圧力が区画１１、１３内の圧力より急速に下がらないように注意する必要がある。
【００５４】
図４Ｅは、次のステップを示す。このステップでは、第１および第３区画１１、１３が加圧されて第１シート担持体４０が第２シート担持体５０側に押された結果として、シート１および２が積層される。これは、装置の第２主動作モードである。このモードでは、第２区画１２内の圧力に対する第１区画１１内の圧力の比、ならびに第２区画１２内の圧力に対する第３区画１３内の圧力の比が相対的に高い。第１および第２区画１１、１３に加えられる圧力は大気圧でもよい。その場合は、ポート２１および２３への弁を開くだけでよい。あるいは、より高度な手段を用いてより高い圧力またはより低い圧力を加えてもよい。本発明の第２の態様による方法の一実施形態において、シート１、２は図４Ａを参照して説明したような動作モードで位置合わせされ、そのモードから第２区画１２を減圧排気することによって図４Ｄに示されているモードが実現される。ただし、この場合、第２区画１２の減圧排気が完了する前に積層が起こりうる。この結果、積層製品のシート１および２間に空気が含有されうる。図４Ｄを参照して説明したような中間モードは、第２区画の減圧排気が完了するまで積層工程を延期させるので、シート１、２の積層前にシート１、２間から空気を逃すためにより長い時間が得られる。両シートの位置合わせがこの段階で行われると、シート間の減圧排気に費やされる時間がシートの位置合わせに効率的に使用されるので好都合である。
【００５５】
図４Ｆは、最後のステップを示す。このステップで、第２区画１２が再度加圧される。実際には大半の場合、大気圧が第２区画に加えられるので、装置を開く時点で圧力差がない。
【００５６】
図５は、制御設備６５のモード図を模式的に示す。制御設備６５は、第２区画１２内の圧力に対して第１区画１１内の圧力を相対的に低くできる第１主動作モードＭ１を有する。実際の実装においては、これは、各区画が大気圧になるように、制御装置６５がポート２１、２２、２３と装置の環境との間の弁を開モードに維持することを意味する。
【００５７】
この主動作モードから、モードＭ１からモードＩ２への矢印で示されている遷移が発生し、制御装置６５は圧力制御装置３１、３２に第１および第３区画１１、１３の減圧排気を行わせる。これにより、第２中間モードＩ２になり、第１および第３区画が減圧排気され、第２区画は依然として大気圧下にある。第２中間モードＩ２になった後、制御装置６５は圧力制御装置３２に第２区画１２の減圧排気を行わせる。これにより、第１中間モードＩ１になり、区画１１、１２、１３の各々が減圧排気される。この第１中間モードにおいて、制御装置６５は視覚的検出設備６１、６２からの入力データＳ１、Ｓ２を用いて位置合わせ設備６０にシート１、２の位置合わせを行わせる。第１中間モードＩ１の完了後、すなわちシート１、２が位置合わせされ、シート間に閉じ込められていた空気が十分に除去された後で、制御装置６５は、モードＩ１からモードＭ２への矢印で示されている、第２主動作モードＭ２への遷移をもたらす。そのために、制御装置６５は、圧力を第１および第３区画１１、１３に加えるように圧力制御装置３１、３３を制御する。実際の実装においては、これは、第１および第３区画１１、１３が大気圧になるように、制御装置６５が第１および第３区画を外気に結合する第１および第２の弁を制御することを意味しうる。ただし、代わりに、より高度な手段によってより低い圧力またはより高い圧力を加えてもよい。モードＭ２は、シート１、２が十分に積層されて最終製品３になるまで、しばらく維持される。次に、制御装置６５は、例えば第２区画１２を環境に結合する弁を開いて、第２区画１２への空気または別の気体の進入を可能にすることによって、Ｍ２からＭ１への矢印で示されている主動作モードＭ１への遷移をもたらす。
【００５８】
図６Ａから図６Ｃは、本発明の第１の態様による装置の別の実施形態とその動作を示す。この実施形態は、例えば部品２ａ、２ｂが表面に貼り付けられているために非平坦な表面を有するシートの積層に特に適している。
【００５９】
これらの図に示されている装置においては、第１可撓性膜４９は第１シート担持体４０の一部を形成する。
【００６０】
特に、第１シート担持体４０は、第１剛性部分４１と、前記可撓性膜によって形成された第２可撓性部分４９とを有する。第２可撓性部分４９は、第１剛性部分４１の第２シート担持体５０に面している側に配置される。
【００６１】
第２可撓性部分４９を明確に示すために、第２可撓性部分４９は点線形状で描かれている。ただし、実際には、第２可撓性部分４９は、シリコーンゴムなどの気密材料で作製される。第１シートの１を保持するために、第２可撓性部分４９にＰＭＤＳなどの自己粘着性材料の層を設けてもよい。
【００６２】
第１シート担持体４０の剛性部分４１は第１軸線Ｚに沿って延在する複数の細孔４７を有することがさらに示されている。
【００６３】
図６Ａは、図５を参照して説明したような第１中間動作モードＩ１における別の実施形態を示す。このモードでは、各区画が減圧排気された状態にある。
【００６４】
この状態から第１シート担持体４０の剛性部分４１を第２シート担持体５０側に移動させるが、第２のシート２の部品２ａ、２ｂには圧力を加えない。したがって、装置は図６Ｂに示されている状態になる。
【００６５】
この状態から、対応するアクセスポート２１、２３を介して第１および第２区画に空気が送り込まれる。これにより、第１シート担持体４０の第２可撓性部分４９は第１のシート１を圧迫して、図６Ｃに示されているように、第２のシート２とその上の部品２ａ、２ｂとに従った形状にする。
【００６６】
図７に示されている別の実施形態において、第１可撓性膜４２は、第１シート担持体４０を形成する中心部分４２ｃと、中心部分４２ｃからチャンバ１０の壁１５まで延在する周辺部分４２ｐとを有する。周辺部分４２ｐは、中心部分４２ｃより高い可撓性を有する。これは、例えば中心部分４２ｃを周辺部分４２ｐより相対的に厚くすることによって、実現されうる。
【００６７】
これにより、別個の剛性部分がなくても、第１および第２区画１１、１２間に圧力差がもたらされたとき、初期状態では中心部分４２ｃはほぼ平坦であり、周辺部分４２ｐは中心部分４２ｃをＺ軸線に沿って移動させることができる。第１のシート１を担持している中心部分４２ｃが第２シート担持体５０によって担持されている第２のシート２に近付くと、圧力差により中心部分４２ｃが変形して第２のシート２とその上の部品２ｂとに従った形状になる。
【００６８】
別の実施形態においても、第１可撓性膜は第１シート担持体と一体である。この実施形態が図６Ａから図６Ｃに示されている実施形態と異なる点は、第１シート担持体に剛性部分４１がない点である。図６Ａから図６Ｃの実施形態の利点は、第１および第２のシート１、２の位置合わせ中に、剛性部分４１が可撓性部分４９の形状を明確に画定できる点である。これにより、より正確な位置合わせがもたらされる。
【００６９】
制御設備６５は、専用ハードウェアとして、または適切にプログラミングされた汎用プロセッサとして、または両方の組み合わせとして、実現されうる。
【００７０】
特許請求の範囲において、「備えた／含んだ（ｃｏｍｐｒｉｓｉｎｇ）」という単語は、他の要素またはステップを排除するものではなく、不定冠詞「ａ」または「ａｎ」は複数を排除するものではない。単一の部品などのユニットは、複数の請求項に記載されているいくつかの項目の機能を果たしうる。特定の方策が互いに異なる請求項に記載されているという単なる事実は、これらの方策の組み合わせを好都合に使用できないことを示すものではない。請求項内の参照符号は、その範囲を限定すると解釈されるべきではない。
【図１】
2013512126.tif 000003
【図２】
2013512126.tif 000004
【図３】
2013512126.tif 000005
【図４Ａ】
2013512126.tif 000006
【図４Ｂ】
2013512126.tif 000007
【図４Ｃ】
2013512126.tif 000008
【図４Ｄ】
2013512126.tif 000009
【図４Ｅ】
2013512126.tif 000010
【図４Ｆ】
2013512126.tif 000011
【図５】
2013512126.tif 000012
【図６Ａ】
2013512126.tif 000013
【図６Ｂ】
2013512126.tif 000014
【図６Ｃ】
2013512126.tif 000015
【図７】
2013512126.tif 000016
【国際調査報告】
2013512126.tif 000017
2013512126.tif 000018
2013512126.tif 000019